(57)【要約】【課題】  送受間の構成部品の合計損失を小さくして分岐数を拡大でき、さらにユーザ装置の波長依存性を解消して増設を容易にする。【解決手段】  局装置は、複数のサービスに対応し、互いに異なる波長帯の広帯域光スペクトルの下り信号を送信する複数のＯＳＵと、各下り信号の波長帯に対応する周期的な透過特性を有し、複数のポートから入力する各下り信号からスペクトルスライスした狭帯域光スペクトルの下り信号を複数のポートにそれぞれ出力し、各ユーザ装置に対して送出する透過波長の周期性がある波長合分波器（ＡＷＧ）とを備える。ユーザ装置は、ＡＷＧの周期的な透過特性に対応する通過帯域を有する波長合分波器と、波長合分波器で分波された複数のサービスに対応する狭帯域光スペクトルの下り信号を受信する複数のＯＮＵを備える。【選択図】        図１
2006025224.tif 000002
【特許請求の範囲】
【請求項１】
局装置と複数のユーザ装置が光ファイバ伝送路を介して接続され、局装置から複数のサービスに対応する複数の下り信号を各ユーザ装置にそれぞれ伝送する光伝送システムにおいて、
前記局装置は、
複数のサービスに対応し、互いに異なる波長帯の広帯域光スペクトルの下り信号を送信する複数の光加入者サービス装置（ＯＳＵ）と、
前記各下り信号の波長帯に対応する周期的な透過特性を有し、複数のポートから入力する前記各下り信号からスペクトルスライスした狭帯域光スペクトルの下り信号を複数のポートにそれぞれ出力し、前記各ユーザ装置に対して送出する透過波長の周期性がある波長合分波器（ＡＷＧ）とを備え、
前記ユーザ装置は、
前記ＡＷＧの周期的な透過特性に対応する通過帯域を有する波長合分波器と、
前記波長合分波器で分波された前記複数のサービスに対応する狭帯域光スペクトルの下り信号を受信する複数の光終端装置（ＯＮＵ）と備えた
ことを特徴とする光伝送システム。
【請求項２】
請求項１に記載の光伝送システムにおいて、
前記ユーザ装置は、前記下り信号の波長帯と異なり、前記ＡＷＧの周期的な透過特性に対応する波長帯の広帯域光スペクトルの上り信号を送信する手段を前記各ＯＮＵに含み、前記各ＯＮＵから送信された上り信号を前記波長合分波器を介して送信する構成であり、  前記局装置は、前記各ユーザ装置から送信された上り信号を前記ＡＷＧに入力し、スペクトルスライスした狭帯域光スペクトルの上り信号から所要の上り信号のみを通過する光バンドパスフィルタを介して前記各ＯＳＵで受信する構成である
ことを特徴とする光伝送システム。
【請求項３】
請求項２に記載の光伝送システムにおいて、
前記局装置は、前記光バンドパスフィルタに代えて、前記各ＯＳＵと前記ＡＷＧとの間に、前記ＡＷＧの周期的な透過特性に対応する通過帯域を有する２つの波長合分波器とその間を接続する光ファイバ伝送路を備えた
ことを特徴とする光伝送システム。
【請求項４】
請求項１または請求項２に記載の光伝送システムにおいて、
前記各サービスに対応する前記広帯域光スペクトルの下り信号を発生する少なくとも１つの広帯域光源に代えて、前記ＡＷＧの周期的な透過特性に対応する波長帯で狭帯域光スペクトルの複数の下り信号を発生する多波長光源を用いる
ことを特徴とする光伝送システム。
【発明の詳細な説明】
【技術分野】
【０００１】
本発明は、波長分割多重（ＷＤＭ）技術を用いて複数のサービス多重に適用される光伝送システムに関する。
【背景技術】
【０００２】
ＡＤＳＬやＦＴＴＨ等の高速な回線が普及することにより、映像配信や３Ｄチャットなどの多用なインターネットサービスが提供されている。今後は、さらに高速な回線が必要となる多種多様なサービスの提供が予想される。このような高速な回線を提供するネットワーク構成の一手段として、ＩＴＵ準拠であるＢ−ＰＯＮ（Broadband Passive Optical Network)に代表される時分割多重（ＴＤＭＡ）マルチアクセス受動光ネットワーク（ＰＯＮ）がある。このＢ−ＰＯＮでは、光スプリッタで光パワーを分岐することによりサービスノードの収容効率を高めている。各加入者端末（ＯＮＵ）ごとにタイムスロットを割り当て、時分割多重方式で１対マルチポイントの通信を実現している。
【０００３】
図７は、Ｂ−ＰＯＮの構成例を示す。ここでは、Ｇ.983.3の波長配置に準拠した多チャネル映像配信のサービス多重システムを想定している（非特許文献１）。
【０００４】
図において、局装置１００と複数のユーザ装置２０１〜２０４は、光ファイバ伝送路３０１〜３０４を介して１対多で接続される。局装置１００は、データサービスを行う光加入者サービス装置（ＯＳＵ）１０１、放送型の映像サービスを行うＯＳＵ１０５、波長合分波器１５１、光スプリッタ１６１を備える。ＯＳＵ１０１は、データサービスの下り信号を送信する光源１７１、データサービスの上り信号を受信する受光器１４１を備える。ＯＳＵ１０５は、放送型の映像サービス信号を送信する光源１７５を有する。ユーザ装置２０１は、データサービスを受けるＯＮＵ２２１、放送型の映像サービスを受けるＯＮＵ２２５、波長合分波器２１５を備える。ＯＮＵ２２１は、データサービスの下り信号を受信する受光器２３１、データサービスの上り信号を送信する光源２５１を備える。ＯＮＵ２２５は、放送型の映像サービス信号を受信する受光器２３５を有する。
【０００５】
局装置１００のＯＳＵ１０１の光源１７１から送信されるデータサービスの下り信号と、ＯＳＵ１０５の光源１７５から送信される映像サービス信号は、波長合分波器１５１で波長多重され、光スプリッタ１６１で分岐して光ファイバ伝送路３０１に送出される。光ファイバ伝送路３０１を介して伝送されたデータサービスの下り信号と映像サービス信号は、ユーザ装置２０１の波長合分波器２１５で分波され、データサービスの下り信号がＯＮＵ２２１の受光器２３１に受信され、映像サービス信号がＯＮＵ２２５の受光器２３５に受信される。一方、ＯＮＵ２２１の光源２５１から送信されるデータサービスの上り信号は、波長合分波器２１５を通過して光ファイバ伝送路３０１に送出される。光ファイバ伝送路３０１および光スプリッタ１６１を介して伝送されたデータサービスの上り信号は、局装置１００の波長合分波器１５１で分波され、ＯＳＵ１０１の受光器１４１で受信される。
【０００６】
ここで、各ユーザ装置に対応するデータサービスの下り信号あるいは上り信号は、各ユーザ装置ごとに所定のタイムスロットが割り当てられ、時分割多重制御されている。映像サービス信号は、下り方向のみの片方向通信であり、各ユーザ装置のＯＮＵ２２５で同時に受信可能である。
【０００７】
また、高速な回線を提供するネットワーク構成としてＷＤＭ−ＰＯＮがある。ＷＤＭ−ＰＯＮは、各ユーザ装置に対して波長を割り当てて通信を行うので、論理的にはポイントツーポイントと同等の構成であり、各ユーザ装置ごとに波長を占有して使用するためにアクセスラインでの速度が保証される。
【０００８】
図８は、ＷＤＭ−ＰＯＮの構成例を示す（特許文献１）。図において、局装置１００と複数のユーザ装置２０１は、光ファイバ伝送路３０１および波長合分波器１５２を介して１対多で接続される。局装置１００は、ＯＳＵ１０１および波長合分波器１５１を備える。ＯＳＵ１０１は、データサービスの下り信号を送信する光源１７１、データサービスの上り信号を受信する受光器１４１を備える。ユーザ装置２０１は、ＯＮＵ２２１を備える。ＯＮＵ２２１は、データサービスの下り信号を受信する受光器２３１、データサービスの上り信号を送信する光源２５１を有する。
【０００９】
局装置１００のＯＳＵ１０１の光源１７１から送信されるデータサービスの下り信号は、波長合分波器１５１で他のＯＳＵからの下り信号と波長多重され、光ファイバ伝送路３０１に送出される。光ファイバ伝送路３０１を介して伝送されたデータサービスの下り信号は、波長合分波器１５２で各ＯＮＵごとに分波され、ＯＮＵ２２１の受光器２３１に受信される。一方、ＯＮＵ２２１の光源２５１から送信されるデータサービスの上り信号は、波長合分波器１５２で他のＯＮＵからの上り信号と合波され、光ファイバ伝送路３０１を介して局装置１００に伝送され、局装置１００の波長合分波器１５１で分波されてＯＳＵ１０１の受光器１４１で受信される。
【００１０】
ここで、図７に示すＢ−ＰＯＮでは分岐に光スプリッタ１６１，１６２を用いているのに対して、図８に示すＷＤＭ−ＰＯＮでは波長合分波器１５２を用いることにより分岐損失を小さくできるメリットがある。そのため、局装置１００とユーザ装置２００間の許容損失を大きく確保できる。
【特許文献１】特開２０００−１９６５３６号公報
【非特許文献１】Ｂ−ＰＯＮシステムの標準化動向と今後の技術課題、電子情報通信学会論文誌Ｂ、Vol.J85-B 、No.4、pp.438-452、2002年４月
【発明の開示】
【発明が解決しようとする課題】
【００１１】
Ｂ−ＰＯＮでは、分岐に光スプリッタを用いているために、分岐数の増加に伴って分岐損失が増大し、光ファイバ伝送路に割り当てられる許容損失が減少する。また、サービス多重構成時は、図７に示すように、局装置１００の波長合分波器１５１やユーザ装置２０１の波長合分波器２１５を挿入する必要があり、サービスの追加に柔軟に対応することができない。
【００１２】
一方、ＷＤＭ−ＰＯＮでは、全ＯＮＵに個々の波長を割り当てて設定する必要があるので、各ＯＮＵを収容するユーザ装置は個別物品となり、運用上の制約が大きくなる。また、ＷＤＭ−ＰＯＮ構成で複数のサービスを多重する場合に、１本の光ファイバ伝送路で伝送するにはネットワーク構成が複雑になる。
【００１３】
本発明は、送受間の構成部品の合計損失を小さくして分岐数を拡大でき、さらにユーザ装置の波長依存性を解消して増設を容易にする光伝送システムを提供することを目的とする。
【課題を解決するための手段】
【００１４】
請求項１に記載の発明は、局装置と複数のユーザ装置が光ファイバ伝送路を介して接続され、局装置から複数のサービスに対応する複数の下り信号を各ユーザ装置にそれぞれ伝送する光伝送システムにおいて、局装置は、複数のサービスに対応し、互いに異なる波長帯の広帯域光スペクトルの下り信号を送信する複数のＯＳＵと、各下り信号の波長帯に対応する周期的な透過特性を有し、複数のポートから入力する各下り信号からスペクトルスライスした狭帯域光スペクトルの下り信号を複数のポートにそれぞれ出力し、各ユーザ装置に対して送出する透過波長の周期性がある波長合分波器（ＡＷＧ）とを備える。ユーザ装置は、ＡＷＧの周期的な透過特性に対応する通過帯域を有する波長合分波器と、波長合分波器で分波された複数のサービスに対応する狭帯域光スペクトルの下り信号を受信する複数のＯＮＵを備える。
【００１５】
さらに、双方向通信に対応するためにユーザ装置は、下り信号の波長帯と異なり、ＡＷＧの周期的な透過特性に対応する波長帯の広帯域光スペクトルの上り信号を送信する手段を各ＯＮＵに含み、各ＯＮＵから送信された上り信号を波長合分波器を介して送信する構成とする。局装置は、各ユーザ装置から送信された上り信号をＡＷＧに入力し、スペクトルスライスした狭帯域光スペクトルの上り信号から所要の上り信号のみを通過する光バンドパスフィルタを介して各ＯＳＵで受信する構成とする（請求項２）。
【００１６】
また、局装置は、光バンドパスフィルタに代えて、各ＯＳＵとＡＷＧとの間に、ＡＷＧの周期的な透過特性に対応する通過帯域を有する２つの波長合分波器とその間を接続する光ファイバ伝送路を備えてもよい（請求項３）。
【００１７】
また、各サービスに対応する広帯域光スペクトルの下り信号を発生する少なくとも１つの広帯域光源に代えて、ＡＷＧの周期的な透過特性に対応する波長帯で狭帯域光スペクトルの複数の下り信号を発生する多波長光源を用いてもよい（請求項４）。
【発明の効果】
【００１８】
本発明は、局装置と複数のユーザ装置を周期フィルタ（ＡＷＧ）を介して接続し、複数のサービスに対応して互いに異なる波長帯の広帯域光スペクトルの下り信号をスペクトルスライスして各ユーザ装置に伝送し、各ユーザ装置のＯＮＵでそれぞれ受信することができる。また、ユーザ装置の各ＯＮＵから互いに異なる波長帯の広帯域光スペクトルの上り信号を波長多重して送信し、透過波長の周期性がある波長合分波器（ＡＷＧ）で各ユーザ装置からの上り信号をスペクトルスライスし、局装置の各ＯＳＵに受信させることができる。これにより、各ユーザ装置は、広帯域光スペクトルの波長帯に対応する波長合分波器、受光器および送信手段をあらかじめ備える共通の構成で対応することができ、ユーザ装置の波長依存性を解消して増設を容易にすることができる。
【発明を実施するための最良の形態】
【００１９】
（第１の実施形態）
図１は、本発明の光伝送システムの第１の実施形態を示す。図において、局装置１００と複数のユーザ装置２０１〜２０４は、それぞれ光ファイバ伝送路３０１〜３０４を介して接続される。局装置１００は、複数のＯＳＵ１０１〜１０４および周期フィルタ（アレイ導波路回折格子：ＡＷＧ）１２０を備える。ＯＳＵ１０１〜１０４は、それぞれ提供するサービス１〜４の下り信号を送信する広帯域光源１１１〜１１４を備える。広帯域光源１１１から送信される広帯域光スペクトルλ１の下り信号はＡＷＧ１２０の局側ポート１に入力され、ユーザ側ポート１〜４からスペクトルスライスされた狭帯域光スペクトルλ11，λ12，λ13，λ14の下り信号として出力される。同様に、広帯域光源１１２〜１１４から送信される広帯域光スペクトルλ２〜λ４の下り信号はＡＷＧ１２０の局側ポート２〜４にそれぞれ入力され、ユーザ側ポート１〜４からスペクトルスライスされた狭帯域光スペクトルλ21〜λ24、λ31〜λ34、λ41〜λ44の下り信号として出力される。
【００２０】
ここで、広帯域光スペクトルλ１〜λ４の波長帯は、図２(1) に示すように、ＡＷＧ１２０のルーティング周期（ＦＳＲ）の間隔で配置され、それぞれ狭帯域光スペクトルλ11〜λ14、λ21〜λ24、λ31〜λ34、λ41〜λ44を含む。ＡＷＧ１２０の各ポートと波長の関係を図３に示す。
【００２１】
ＡＷＧ１２０のユーザ側ポート１から出力された狭帯域光スペクトルλ11，λ21，λ31，λ41の下り信号は、光ファイバ伝送路３０１を介してユーザ装置２０１に入力される。ユーザ装置２０１は、波長合分波器２１０および複数のＯＮＵ２２１〜２２４を備える。波長合分波器２１０の通過帯域は、図２(2) に示すように、ＡＷＧ１２０のＦＳＲ間隔（広帯域光スペクトルλ１〜λ４の波長帯）と同等であり、狭帯域光スペクトルλ11，λ21，λ31，λ41の下り信号を分波してそれぞれＯＮＵ２２１〜２２４に入力する。ＯＮＵ２２１〜２２４は、それぞれ広帯域光スペクトルλ１〜λ４の波長帯に対応する受光器２３１〜２３４を備え、サービス１〜４に対応する狭帯域光スペクトルλ11，λ21，λ31，λ41の下り信号を受信する。
【００２２】
ＡＷＧ１２０のユーザ側ポート２〜４に光ファイバ伝送路３０２〜３０４を介して接続されるユーザ装置２０２〜２０４の構成も同様であり、ユーザ装置２０１と同じ通過帯域を有する波長合分波器２１０と、ＯＮＵ２２１〜２２４に広帯域光スペクトルλ１〜λ４の波長帯に対応する受光器２３１〜２３４を備える。これにより、ユーザ装置２０２ではサービス１〜４に対応する狭帯域光スペクトルλ12，λ22，λ32，λ42の下り信号を受信し、ユーザ装置２０３ではサービス１〜４に対応する狭帯域光スペクトルλ13，λ23，λ33，λ43の下り信号を受信し、ユーザ装置２０４ではサービス１〜４に対応する狭帯域光スペクトルλ14，λ24，λ34，λ44の下り信号を受信する。
【００２３】
このように、局装置１００からサービス１の下り信号を送信するための広帯域光スペクトルλ１は、ＡＷＧ１２０で狭帯域光スペクトルλ11，λ12，λ13，λ14の下り信号としてスペクトルスライスされ、光ファイバ伝送路３０１〜３０４を介して各ユーザ装置２０１〜２０４に分配され、それぞれ同一構成の波長合分波器２１０を介してＯＮＵ２２１の受光器２３１に受信される。すなわち、狭帯域光スペクトルλ11，λ12，λ13，λ14の下り信号は、ともにサービス１の情報を有しており、各ユーザ装置２０１〜２０４では同時にサービス１の下り信号を受信することができる。サービス２〜４についても同様である。
【００２４】
（第２の実施形態）
図４は、本発明の光伝送システムの第２の実施形態を示す。本実施形態の特徴は、第１の実施形態の構成を双方向通信に拡張するところにある。ただし、双方向通信には下りと上りの２本の光ファイバ伝送路を用いる。
【００２５】
図において、局装置１００から各ユーザ装置２０１〜２０４への下り信号の伝送については、第１の実施形態と同様であり、対応する構成要素に同一符号を付す。ただし、ここでは局装置１００にサービス１，２の下り信号を伝送するＯＳＵ１０１，１０２を備え、各ユーザ装置２０１〜２０４に対応するＯＮＵ２２１，２２２を備える構成とする。
【００２６】
ユーザ装置２０１から局装置１００への上り信号の伝送には、ＯＮＵ２２１，２２２に上り信号を送信する広帯域光源２４１，２４２を備える。広帯域光源２４１，２４２から送信される広帯域光スペクトルλ１，λ２の上り信号は波長合分波器２１１で合波され、光ファイバ伝送路３１１を介して局装置１００に送信される。波長合分波器２１０，２１１の通過帯域は同じである。
【００２７】
ユーザ装置２０１〜２０４からそれぞれ送信された広帯域光スペクトルλ１，λ２の上り信号は、局装置１００のＡＷＧ１２１のユーザ側ポートにそれぞれ入力される。このとき、ＡＷＧ１２１の局側ポート１，２には、それぞれスペクトルスライスされた狭帯域光スペクトルλ11〜λ14およびλ21〜λ24の上り信号が出力される。ＡＷＧ１２１の局側ポート１に接続される光バンドパスフィルタ１３１は、ユーザ装置２０１〜２０４から送信された広帯域光スペクトルλ１の上り信号からそれぞれスペクトルスライスされた狭帯域光スペクトルλ11〜λ14を選択してＯＳＵ１０１に入力し、受光器１４１で受信される。また、ＡＷＧ１２１の局側ポート２に接続される光バンドパスフィルタ１３２は、ユーザ装置２０１〜２０４から送信された広帯域光スペクトルλ２の上り信号からそれぞれスペクトルスライスされた狭帯域光スペクトルλ21〜λ24を選択してＯＳＵ１０２に入力し、受光器１４２で受信される。
【００２８】
なお、各ユーザ装置２０１〜２０４のＯＮＵ２２１に対応する狭帯域光スペクトルλ11〜λ14の下り信号および上り信号、あるいはＯＮＵ２２２に対応する狭帯域光スペクトルλ21〜λ24の下り信号および上り信号は、それぞれ時分割多重方式により割り当てられたタイムスロットで各ユーザを識別する。
【００２９】
（第３の実施形態）
図５は、本発明の光伝送システムの第３の実施形態を示す。本実施形態の特徴は、第１の実施形態の構成を双方向通信に拡張するところにある。ただし、双方向通信には１本の光ファイバ伝送路を用いる。
【００３０】
図において、局装置１００から各ユーザ装置２０１〜２０４への下り信号の伝送については、第１の実施形態と同様であり、対応する構成要素に同一符号を付す。ただし、ここでは局装置１００にサービス１，２の下り信号を伝送するＯＳＵ１０１，１０２を備え、各ユーザ装置２０１〜２０４に対応するＯＮＵ２２１，２２２を備える構成とする。また、サービス１，２の下り信号に広帯域光スペクトルλ１，λ２を割り当て、それぞれ対応する上り信号に広帯域光スペクトルλ３，λ４を割り当てる。
【００３１】
ユーザ装置２０１から局装置１００への上り信号の伝送には、ＯＮＵ２２１，２２２に上り信号を送信する広帯域光源２４１，２４２を備える。広帯域光源２４１，２４２から送信される広帯域光スペクトルλ３，λ４の上り信号は波長合分波器２１０で合波され、光ファイバ伝送路３０１を介して局装置１００に送信される。波長合分波器２１０の通過帯域は、図２(2) に示すように、ＡＷＧ１２０のＦＳＲ間隔（広帯域光スペクトルλ１〜λ４の波長帯）と同等である。
【００３２】
ユーザ装置２０１〜２０４からそれぞれ送信された広帯域光スペクトルλ３，λ４の上り信号は、局装置１００のＡＷＧ１２０のユーザ側ポートにそれぞれ入力される。このとき、ＡＷＧ１２１の局側ポート３，４には、それぞれスペクトルスライスされた狭帯域光スペクトルλ31〜λ34およびλ41〜λ44の上り信号が出力される。ＡＷＧ１２１の局側ポート３に接続される光バンドパスフィルタ１３１は、ユーザ装置２０１〜２０４から送信された広帯域光スペクトルλ３の上り信号からそれぞれスペクトルスライスされた狭帯域光スペクトルλ31〜λ34を選択してＯＳＵ１０１に入力し、受光器１４１で受信される。また、ＡＷＧ１２１の局側ポート４に接続される光バンドパスフィルタ１３２は、ユーザ装置２０１〜２０４から送信された広帯域光スペクトルλ４の上り信号からそれぞれスペクトルスライスされた狭帯域光スペクトルλ41〜λ44を選択してＯＳＵ１０２に入力し、受光器１４２で受信される。
【００３３】
なお、各ユーザ装置２０１〜２０４のＯＮＵ２２１に対応する狭帯域光スペクトルλ11〜λ14の下り信号および狭帯域光スペクトルλ31〜λ34の上り信号、あるいはＯＮＵ２２２に対応する狭帯域光スペクトルλ21〜λ24の下り信号および狭帯域光スペクトルλ41〜λ44の上り信号は、それぞれ時分割多重方式により割り当てられたタイムスロットで各ユーザを識別する。
【００３４】
また、ＡＷＧ１２１の局側ポート１，２にも、それぞれスペクトルスライスされた狭帯域光スペクトルλ31〜λ34、λ41〜λ44の上り信号が出力され、広帯域光源１１１，１１２に入射される。したがって、広帯域光源１１１，１１２に所要の反射耐力が得られない場合には、光アイソレータを配置して上り信号を遮断する。
【００３５】
（第４の実施形態）
図６は、本発明の光伝送システムの第４の実施形態を示す。本実施形態の特徴は、第３の実施形態の構成において、局装置１００のＯＳＵ１０１，１０２とＡＷＧ１２０との間をＷＤＭ伝送するところにある。
【００３６】
図において、局装置１００のＯＳＵ１０１，１０２の広帯域光源１１１，１１２からそれぞれ送信された広帯域光スペクトルλ１，λ２の下り信号は、波長合分波器１５１で合波され、光ファイバ伝送路３２１を介して波長合分波器１５２に伝送されて分波され、それぞれＡＷＧ１２０の局側ポート１，２に入力される。波長合分波器１５１，１５２の通過帯域は、ユーザ装置２０１〜２０４の波長合分波器２１０と同じであり、ＡＷＧ１２０のＦＳＲ間隔と同等である。このとき、ＡＷＧ１２０のユーザ側ポート１〜４には、スペクトルスライスされた狭帯域光スペクトルλ11〜λ14、λ21〜λ24の下り信号が出力される。
【００３７】
ＡＷＧ１２０のユーザ側ポート１から出力された狭帯域光スペクトルλ11，λ21の下り信号は、光ファイバ伝送路３０１を介してユーザ装置２０１に入力され、波長合分波器２１０で分波して各ＯＮＵ２２１〜２２２の受光器２３１に受信される。ＡＷＧ１２０のユーザ側ポート２〜４から光ファイバ伝送路３０２〜３０４を介してユーザ装置２０２〜２０４に入力される狭帯域光スペクトルλ12，λ22の下り信号、狭帯域光スペクトルλ13，λ23の下り信号、狭帯域光スペクトルλ14，λ24の下り信号もそれぞれ受信される。
【００３８】
ユーザ装置２０１の広帯域光源２４１，２４２から送信される広帯域光スペクトルλ３，λ４の上り信号は波長合分波器２１０で合波され、光ファイバ伝送路３０１を介してＡＷＧ１２０のユーザ側ポート１に入力される。同様に、ユーザ装置２０２〜２０４からそれぞれ送信された広帯域光スペクトルλ３，λ４の上り信号は、ＡＷＧ１２０のユーザ側ポート２〜４にそれぞれ入力される。このとき、ＡＷＧ１２０の局側ポート１〜４には、それぞれスペクトルスライスされた狭帯域光スペクトルλ31〜λ34およびλ41〜λ44の上り信号が出力されるが、波長合分波器１５１，１５２を介して狭帯域光スペクトルλ31〜λ34とλ41〜λ44の上り信号が分離され、それぞれ対応するＯＳＵ１０１，１０２の受光器１４１，１４２で受信される。
【００３９】
なお、各ユーザ装置２０１〜２０４に対応する狭帯域光スペクトルλ31〜λ34の上り信号、あるいは狭帯域光スペクトルλ41〜λ44の上り信号は、それぞれ時分割多重方式により割り当てられたタイムスロットで各ユーザを識別する。
【００４０】
（他の実施形態）
以上示した実施形態の局装置１００において、少なくとも１つのサービスに対応する広帯域光源を放送型のサービスに対応する多波長光源に置き換えてもよい。多波長光源は、あらかじめＡＷＧ１２０の透過波長に対応した光スペクトルの下り信号を発生する。例えば、図５に示す第３の実施形態の構成において、ＯＳＵ１０２の多波長光源で広帯域光スペクトルλ２に対応する狭帯域光スペクトルλ21，λ22を発生すると、ＡＷＧ１２０で分波してそれぞれユーザ装置２０１〜２０４の各ＯＮＵ２２２に伝送され、放送型のサービスが提供される。
【００４１】
また、以上示した実施形態で光スプリッタを用いて光ファイバ伝送路を分岐し、Ｂ−ＰＯＮのように複数のユーザ装置を収容できるようにしてもよい。ただし、この構成におけるユーザの識別は、時分割多重方式による割り当てられたタイムスロットでユーザを識別することになる。
【図面の簡単な説明】
【００４２】
【図１】本発明の光伝送システムの第１の実施形態を示す図。
【図２】広帯域光スペクトルの波長配置と波長合分波器の通過帯域を示す図。
【図３】ＡＷＧの各ポートと波長の関係を示す図。
【図４】本発明の光伝送システムの第２の実施形態を示す図。
【図５】本発明の光伝送システムの第３の実施形態を示す図。
【図６】本発明の光伝送システムの第４の実施形態を示す図。
【図７】Ｂ−ＰＯＮの構成例を示す図。
【図８】ＷＤＭ−ＰＯＮの構成例を示す図。
【符号の説明】
【００４３】
１００  局装置
１０１，１０２，１０３，１０４，１０５光加入者サービス装置（ＯＳＵ）
１１１，１１２，１１３，１１４  広帯域光源
１２０，１２１  周期フィルタ（ＡＷＧ）
１３１，１３２  光バンドパスフィルタ（ＢＰＦ）
１４１，１４２  受光器
１５１，１５２  波長合分波器
１６１  光スプリッタ
１７１，１７５  光源
２０１，２０２，２０３，２０４  ユーザ装置
２１０，２１１，２１５  波長合分波器
２２１，２２２，２２３，２２４，２２５  光終端装置（ＯＮＵ）
２３１，２３２，２３３，２３４，２３５  受光器
２４１，２４２  広帯域光源
２５１  光源
３０１，３０２，３０３，３０４，３１１，３１２，３１３，３１４，３２１  光ファイバ伝送路
【図１】
2006025224.tif 000003
【図２】
2006025224.tif 000004
【図３】
2006025224.tif 000005
【図４】
2006025224.tif 000006
【図５】
2006025224.tif 000007
【図６】
2006025224.tif 000008
【図７】
2006025224.tif 000009
【図８】
2006025224.tif 000010